【手続補正書】
【提出日】平成16年10月4日(2004.10.4)
【手続補正１】
【補正対象書類名】明細書
【補正対象項目名】発明の名称
【補正方法】変更
【補正の内容】
【発明の名称】ディスク再生方法及びオーディオ信号の記録再生方法
【手続補正２】
【補正対象書類名】明細書
【補正対象項目名】特許請求の範囲
【補正方法】変更
【補正の内容】
【特許請求の範囲】
【請求項１】
補助信号の記録領域と主信号の記録領域とが連続して配置されたディスクであって、前記主信号の記録領域に、
オーディオデータを含む第１のオーディオパックと、
前記第１のオーディオパック内の前記オーディオデータに関する文字情報とその表示時間を制御する表示時間制御データを含む文字表示パックであって前記文字情報がネームスペースエリアまたはフリースペースエリアを有する各々の情報エリア（文字「１」、「２」）の中に言語毎に配置され、その言語コード情報がジェネラル情報エリアに配置される文字表示パックと、
前記第１のオーディオパックの再生を制御する情報を含むＡＭＧＩ管理エリアとを配置したデータ構造を有し、
前記第１のオーディオパックと文字表示パックとを含む曲からなる第１のファイル構造（オーディオ−タイトルセット）が記録され、
さらに、ビデオデータを含むビデオパックと、前記ビデオデータのオーディオデータを含む第２のオーディオパックと、前記ビデオパックと前記第２のオーディオパックの再生を制御する情報を含むＶＭＧＩ管理エリアとを配置したデータ構造を有し、前記ビデオパックと第２のオーディオパックとを含むタイトルからなる第２のファイル構造（ビデオ−タイトルセット）が記録されると共に、
前記ＡＭＧＩ管理エリアには前記第１のオーディオパックの再生を制御する情報に加え前記第２のオーディオパックの再生を制御する情報が記録されるディスクを再生するディスク再生方法であって、
前記ディスクから少なくとも第１のオーディオパック及び文字表示パックを再生するステップと、
前記再生するステップにより再生された文字表示パックからオーディオデータに関する文字情報をデコードする第１のデコードのステップと、
前記再生のステップにより再生された文字表示パックから表示時間制御データと言語コード情報をデコードする第２のデコードのステップと、
前記第１のデコードのステップによりデコードされた文字情報を前記第２のデコードのステップによりデコードされた表示時間制御データと言語コード情報に基づいて表示するステップと、
前記ディスクから前記ＡＭＧＩ管理エリアに基づき前記第２のオーディオパックの再生を制御するステップと、
からなるディスク再生方法。
【請求項２】
補助信号の記録領域と主信号の記録領域とが連続して配置されたディスクの前記主信号の記録領域に、
オーディオデータを含む第１のオーディオパックと、
前記第１のオーディオパック内の前記オーディオデータに関する文字情報とその表示時間を制御する表示時間制御データを含む文字表示パックであって前記文字情報がネームスペースエリアまたはフリースペースエリアを有する各々の情報エリア（文字「１」、「２」）の中に言語毎に配置され、その言語コード情報がジェネラル情報エリアに配置される文字表示パックと、
前記第１のオーディオパックの再生を制御する情報を含むＡＭＧＩ管理エリアとを配置したデータ構造を有し、
前記第１のオーディオパックと文字表示パックとを含む曲からなる第１のファイル構造（オーディオ−タイトルセット）を記録し、
さらに、ビデオデータを含むビデオパックと、前記ビデオデータのオーディオデータを含む第２のオーディオパックと、前記ビデオパックと前記第２のオーディオパックの再生を制御する情報を含むＶＭＧＩ管理エリアとを配置したデータ構造をし、前記ビデオパックと第２のオーディオパックとを含むタイトルからなる第２のファイル構造（ビデオ−タイトルセット）を記録すると共に、
前記ＡＭＧＩ管理エリアには前記第１のオーディオパックの再生を制御する情報に加え前記第２のオーディオパックの再生を制御する情報を記録するステップと、
請求項１に記載の再生方法で再生するステップと、
からなるオーディオ信号の記録再生方法。
【手続補正３】
【補正対象書類名】明細書
【補正対象項目名】０００１
【補正方法】変更
【補正の内容】
【０００１】
【発明の属する技術分野】
本発明は、オーディオ信号の曲名などを示す文字情報その他をディスクに記録して再生、表示させるようにするための、ディスク再生方法及びオーディオ信号の記録再生方法に関する。
【手続補正４】
【補正対象書類名】明細書
【補正対象項目名】０００５
【補正方法】変更
【補正の内容】
【０００５】
本発明は上記の問題点に鑑み、音楽ソースなどのオーディオデータを主として記録する場合にその内容を示す文字情報を効率的に記録して再生、表示させるようにするための、ディスク再生方法及びオーディオ信号の記録再生方法、を提供することを目的とする。
【手続補正５】
【補正対象書類名】明細書
【補正対象項目名】０００６
【補正方法】変更
【補正の内容】
【０００６】
【課題を解決するための手段】
本発明は、上記課題を解決するために、以下の手段よりなる。
すなわち、請求項１に係る発明は、補助信号の記録領域と主信号の記録領域とが連続して配置されたディスクであって、前記主信号の記録領域に、オーディオデータを含む第１のオーディオパックと、前記第１のオーディオパック内の前記オーディオデータに関する文字情報とその表示時間を制御する表示時間制御データを含む文字表示パックであって前記文字情報がネームスペースエリアまたはフリースペースエリアを有する各々の情報エリア（文字「１」、「２」）の中に言語毎に配置され、その言語コード情報がジェネラル情報エリアに配置される文字表示パックと、前記第１のオーディオパックの再生を制御する情報を含むＡＭＧＩ管理エリアとを配置したデータ構造を有し、前記第１のオーディオパックと文字表示パックとを含む曲からなる第１のファイル構造（オーディオ−タイトルセット）が記録され、さらに、ビデオデータを含むビデオパックと、前記ビデオデータのオーディオデータを含む第２のオーディオパックと、前記ビデオパックと前記第２のオーディオパックの再生を制御する情報を含むＶＭＧＩ管理エリアとを配置したデータ構造を有し、前記ビデオパックと第２のオーディオパックとを含むタイトルからなる第２のファイル構造（ビデオ−タイトルセット）が記録されると共に、前記ＡＭＧＩ管理エリアには前記第１のオーディオパックの再生を制御する情報に加え前記第２のオーディオパックの再生を制御する情報が記録されるディスクを再生するディスク再生方法であって、
前記ディスクから少なくとも第１のオーディオパック及び文字表示パックを再生するステップと、前記再生するステップにより再生された文字表示パックからオーディオデータに関する文字情報をデコードする第１のデコードのステップと、前記再生のステップにより再生された文字表示パックから表示時間制御データと言語コード情報をデコードする第２のデコードのステップと、前記第１のデコードのステップによりデコードされた文字情報を前記第２のデコードのステップによりデコードされた表示時間制御データと言語コード情報に基づいて表示するステップと、前記ディスクから前記ＡＭＧＩ管理エリアに基づき前記第２のオーディオパックの再生を制御するステップと、からなるディスク再生方法である。
また、請求項２に係る発明は、補助信号の記録領域と主信号の記録領域とが連続して配置されたディスクの前記主信号の記録領域に、オーディオデータを含む第１のオーディオパックと、前記第１のオーディオパック内の前記オーディオデータに関する文字情報とその表示時間を制御する表示時間制御データを含む文字表示パックであって前記文字情報がネームスペースエリアまたはフリースペースエリアを有する各々の情報エリア（文字「１」、「２」）の中に言語毎に配置され、その言語コード情報がジェネラル情報エリアに配置される文字表示パックと、前記第１のオーディオパックの再生を制御する情報を含むＡＭＧＩ管理エリアとを配置したデータ構造を有し、前記第１のオーディオパックと文字表示パックとを含む曲からなる第１のファイル構造（オーディオ−タイトルセット）を記録し、さらに、ビデオデータを含むビデオパックと、前記ビデオデータのオーディオデータを含む第２のオーディオパックと、前記ビデオパックと前記第２のオーディオパックの再生を制御する情報を含むＶＭＧＩ管理エリアとを配置したデータ構造をし、前記ビデオパックと第２のオーディオパックとを含むタイトルからなる第２のファイル構造（ビデオ−タイトルセット）を記録すると共に、前記ＡＭＧＩ管理エリアには前記第１のオーディオパックの再生を制御する情報に加え前記第２のオーディオパックの再生を制御する情報を記録するステップと、請求項１に記載の再生方法で再生するステップと、からなるオーディオ信号の記録再生方法である。
【手続補正６】
【補正対象書類名】明細書
【補正対象項目名】００６６
【補正方法】変更
【補正の内容】
【００６６】
【発明の効果】
以上詳述したように本発明によれば、第１のオーディオパック内のオーディオデータに関する文字情報とその表示時間を制御する表示時間制御データを含む文字表示パックと、第１のオーディオパックの再生を制御する情報を含むＡＭＧＩ管理エリアとを配置したデータ構造を有し第１のオーディオパックと文字表示パックとを含む曲からなる第１のファイル構造と、ビデオデータを含むビデオパックと、ビデオデータのオーディオデータを含む第２のオーディオパックと、ビデオパックと第２のオーディオパックの再生を制御する情報を含むＶＭＧＩ管理エリアとを配置したデータ構造を有し前記ビデオパックと第２のオーディオパックとを含むタイトルからなる第２のファイル構造とを記録すると共に、ＡＭＧＩ管理エリアには第１のオーディオパックの再生を制御する情報に加え第２のオーディオパックの再生を制御する情報を記録することにより、ディスクに対して音楽ソースなどのオーディオデータを主として記録する場合に、それらの内容を示す文字情報を効率的に記録して再生、表示することができる。
【手続補正７】
【補正対象書類名】明細書
【補正対象項目名】図１２
【補正方法】変更
【補正の内容】
【図１２】
本発明に適用されるディスク再生装置の一例としてＤＶＤ再生装置を示すブロック図である。
【手続補正８】
【補正対象書類名】明細書
【補正対象項目名】図２１
【補正方法】変更
【補正の内容】
【図２１】
本発明に適用されるＤＶＤ−Ａｖｄディスクのデータ構造を示す説明図である。
【手続補正９】
【補正対象書類名】明細書
【補正対象項目名】図２２
【補正方法】変更
【補正の内容】
【図２２】
本発明に適用されるＤＶＤオーディオディスクのデータ構造を示す説明図である。